(57)【要約】【課題】ヘッドマウントディスプレイとの併用時における装着感を向上させることができるヘッドホンを提供する。【解決手段】音声出力部を収納するハウジングと、ハウジングを支持するスライダと、ヘッドマウントディスプレイに取り付けられ、スライダをスライド可能に支持する支持部とを備えるヘッドホンである。【選択図】図５
2018152812.tif 000002
【特許請求の範囲】
【請求項１】
ハウジングと、
前記ハウジングを支持するスライダと、
ヘッドマウントディスプレイに取り付けられ、前記スライダをスライド可能に支持する支持部と
を備えるヘッドホン。
【請求項２】
前記ヘッドマウントディスプレイは表示部と、該表示部をユーザの頭部を用いて支持するバンドとを備え、
前記支持部は、前記バンドに取り付けられる
請求項１に記載のヘッドホン。
【請求項３】
前記バンドは、少なくとも前記ユーザの側頭部に及ぶように構成されており、
前記支持部は、前記ユーザの側頭部側において前記バンドに取り付けられる
請求項２に記載のヘッドホン。
【請求項４】
前記スライダのスライド方向は、前記バンドとの直交方向に対して所定の角度を有している
請求項３に記載のヘッドホン。
【請求項５】
前記所定の角度は約２３度である
請求項４に記載のヘッドホン。
【請求項６】
前記所定の角度は約２３度±１５度である
請求項４に記載のヘッドホン。
【請求項７】
前記支持部は、前記ハウジングが前記ユーザの耳から遠ざかる方向または前記ハウジングが前記ユーザの耳に近づく方向に動作させる動作部を備えている
請求項１に記載のヘッドホン。
【請求項８】
前記動作部は、前記ハウジングが前記ユーザの耳から遠ざかる第１の状態または前記ハウジングが前記ユーザの耳に近づく第２の状態に変化させる
請求項７に記載のヘッドホン。
【請求項９】
前記第１の状態から前記第２の状態への変化および前記第２の状態から前記第１の状態への変化に伴ってクリック感を発生させるクリック機構を備える
請求項８に記載のヘッドホン。
【請求項１０】
前記動作部は、前記ヘッドマウントディスプレイを平面に載置した際に、前記ハウジングが前記平面に接しない状態まで変化させる
請求項７に記載のヘッドホン。
【請求項１１】
前記スライダから前記支持部を取り外した状態で前記スライダにヘッドバンドを接続可能である
請求項１にヘッドホン。
【請求項１２】
前記ヘッドマウントディスプレイが備えるコードを保持するコード保持部を備える
請求項１に記載のヘッドホン。
【請求項１３】
前記ハウジングの前記ユーザの耳に対向する側にイヤパッドを備え、
前記イヤパッドは低反撥ウレタンにより構成されている
請求項１に記載のヘッドホン。
【発明の詳細な説明】
【技術分野】
【０００１】
本技術は、ヘッドホンに関する。
【背景技術】
【０００２】
近年、仮想現実（ＶＲ：Virtual Reality）を用いたゲーム用等の様々なヘッドマウントディスプレイ（表示ヘッドセットデバイス）が続々と発表されているが、共通キーワードとして「臨場感・没入感」が挙げられている。視界全方向の画像表示と、臨場感溢れる音の相乗効果で、あたかも現実であるかのような体感を得るためのものである。
【０００３】
そのようなヘッドマウントディスプレイの使用時において音声をどのようにユーザに提供するかにはいくつかの方法がある（特許文献１）。ヘッドマウントディスプレイに音響部を一体化して構成する、ヘッドマウントディスプレイとは別体としたヘッドバンドを備えるタイプのヘッドホンをユーザが使用する、などである。
【先行技術文献】
【特許文献】
【０００４】
【特許文献１】特開２００６−１８６７５６号公報
【発明の概要】
【発明が解決しようとする課題】
【０００５】
ヘッドマウントディスプレイに音響部が一体化されているものでは、小さな汎用の音響開放形のヘッドホンが備えられていることが多く、低音質や、ヘッドホンの位置が固定されていることによる装着感が悪さ、密閉度の低さによる迫力不足などの問題がある。
【０００６】
また、ヘッドマウントディスプレイとは別体の、ヘッドバンドを備えるタイプのヘッドホンでは、ユーザが好みの市販のヘッドホンを選択できるが、そのヘッドホンはヘッドマウントディスプレイとの同時使用を考慮されたものではない。よって、イヤパッドとヘッドマウントディスプレイとの干渉でイヤパッドの密閉が取り難い場合に音が迫力に欠け、過度の閉塞感があるという問題がある。さらに、ヘッドマウントディスプレイにより目を覆われて周囲が見えにくい状態で手探りでヘッドホンを装着する必要があり、不便であるという問題もある。
【０００７】
本技術はこのような問題点に鑑みなされたものであり、ヘッドマウントディスプレイとの併用時における装着感を向上させることができるヘッドホンを提供することを目的とする。
【課題を解決するための手段】
【０００８】
上述した課題を解決するために、本技術は、音声出力部を収納するハウジングと、ハウジングを支持するスライダと、ヘッドマウントディスプレイに取り付けられ、スライダをスライド可能に支持する支持部とを備えるヘッドホンである。
【発明の効果】
【０００９】
本技術によれば、ヘッドマウントディスプレイとの併用時における装着感を向上させることができる。なお、ここに記載された効果は必ずしも限定されるものではなく、明細書中に記載されたいずれかの効果であってもよい。
【図面の簡単な説明】
【００１０】
【図１】ヘッドマウントディスプレイの構成を示す斜視図である。
【図２】本技術に係るヘッドホンの構成を示す図である。
【図３】図３Ａはヘッドホンの支持機構とスライダの斜視図であり、図３Ｂはヘッドホンの支持機構の分解図である。
【図４】ヘッドマウントディスプレイのバンドとスライダの角度の説明図である。
【図５】ヘッドマウントディスプレイにヘッドホンを取り付けた状態を示す斜視図である。
【図６】ヘッドホンを取り付けたヘッドマウントディスプレイをユーザが装着している状態を示す図である。
【図７】ヘッドホンに接続するヘッドバンドを示す図である。
【図８】変形例に係るヘッドホンを示す斜視図である。
【発明を実施するための形態】
【００１１】
以下、本技術の実施の形態について図面を参照しながら説明する。なお、説明は以下の順序で行う。
＜１．実施の形態＞
［１−１．ヘッドマウントディスプレイの構成］
［１−２．ヘッドホンの構成］
［１−３．ヘッドホンの使用］
＜２．変形例＞
【００１２】
＜１．実施の形態＞
［１−１．ヘッドマウントディスプレイの構成］
まず、本実施の形態に係るヘッドホンと併用するヘッドマウントディスプレイ（以下、ＨＭＤ：Head Mounted Displayと称する）１００の構成について説明する。図１はＨＭＤ１００の外観構成を示す斜視図である。
【００１３】
ＨＭＤ１００は、例えば、エンタテインメント装置、ディスプレイ、カメラマイクユニットおよびコントローラ（いずれも図示せず）とからコンテンツ提供システムを構成するものである。コンテンツとしては、例えば、ゲーム、映画、テレビ放送などがある。
【００１４】
エンタテインメント装置とディスプレイとは、例えば、ＨＤＭＩ（High-Definition Multimedia Interface）ケーブルなどを介して接続されている。エンタテインメント装置とカメラマイクユニットとは、例えば、ＨＤＭＩケーブルやＵＳＢ（Universal Serial Bus）ケーブルなどを介して接続されている。またＨＭＤ１００とエンタテインメント装置とは、例えば、ＨＤＭＩケーブルやＵＳＢケーブルなどを介して接続されている。
【００１５】
エンタテインメント装置は、例えばパーソナルコンピュータ、据え置き型ゲームコンソール、ＤＶＤプレイヤ、Ｂｌｕ−ｒａｙプレイヤなどである。エンタテインメント装置は、予めインストールされているゲームプログラムの実行や光ディスクを再生することで生成される映像信号をＨＭＤ１００やディスプレイに出力する。
【００１６】
ディスプレイは、例えば液晶ディスプレイ、有機ＥＬ(Electro Luminescence)ディスプレイなどの表示デバイスであり、エンタテインメント装置から出力される映像信号が表す映像などを表示させる。
【００１７】
カメラマイクユニットは、ＨＭＤ１００の動きを認識し、ＨＭＤ１００の動き情報をエンタテインメント装置に出力する。これにより、ＨＭＤ１００の動きとＨＭＤ１００の表示部に表示される映像の同期をとることができる。
【００１８】
ＨＭＤ１００は、筐体１１０、バンド１２０、コード１３０を備えて構成されている。
【００１９】
筐体１１０は、箱型に構成されており、ユーザの顔に接する側の面が開口するように構成されている。筐体１１０は内部に空間が形成されており、その空間内に制御部、表示部、映像視覚用光学系、駆動部、動きセンサ（いずれも図示せず）などが設けられている。
【００２０】
筐体１１０の内面はＨＭＤ１００の装着時おいてユーザの顔に接触することにより表示部をユーザの眼前に支持する。
【００２１】
表示部は、例えば液晶ディスプレイや有機ＥＬ（Electroluminescence）ディスプレイ等のディスプレイであり、エンタテインメント装置から出力される映像信号による映像を表示するものである。
【００２２】
映像視覚用光学系は、表示部に表示される映像を見るユーザの目と表示部との間に配置されるレンズ等の光学系である。
【００２３】
制御部は、ＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって表示部への映像出力制御、操作制御などＨＭＤ１００全体の制御を行う。また、エンタテインメント装置から送信された映像信号、操作信号などの所定の処理を行う。
【００２４】
制御部が実行するプログラムは、予め制御部にインストールされていてもよいし、ダウンロード、記憶媒体などで配布されて、ユーザが自らインストールするようにしてもよい。
【００２５】
外部入出力は、ＨＭＤ１００と外部機器を接続するためのＨＤＭＩ（High-Definition Multimedia Interface）ポートやＵＳＢポートなどである。なお、ＨＭＤ１００と外部機器接続は有線に限られずWi-Fiなどの無線ＬＡＮ（Local Area Network）、Bluetooth、ZigBeeなどの無線通信であってもよい。
【００２６】
動きセンサは、例えば２軸または３軸方向に対する加速度センサ、角度速度センサ、ジャイロセンサなどによりＨＭＤ１００の移動速度、移動方向、角速度などを検出し、制御部やエンタテインメント装置に出力する。
【００２７】
バンド１２０は、前側バンド部１２１、左側バンド部１２２、右側バンド部１２３およびスライドバンド部１２４とからユーザの頭を額から後頭部にかけて囲うような輪状に構成されている。
【００２８】
前側バンド部１２１は下端中央が下方に延出し、筐体１１０の上面に連結するように構成されている。また、前側バンド部１２１は、ＨＭＤ１００装着時においてユーザの額に接触した状態で筐体１１０を確実に支持するため、左側バンド部１２２、右側バンド部１２３およびスライドバンド部１２４に比べて上下方向の幅が広くなるように構成されている。さらに、前側バンド部１２１には、ＨＭＤ１００装着時においてユーザの額に接触して筐体１１０を確実に支持するため、ユーザの額から頭頂部に接触する頭部接触部１２５が設けられている。
【００２９】
左側バンド部１２２および右側バンド部１２３は前側バンド部１２１と一体的に構成されている。左側バンド部１２２は前側バンド部１２１の左側から後方へ延出するように構成されている。右側バンド部１２３は前側バンド部１２１の右側から後方へ延出するように構成されている。
【００３０】
スライドバンド部１２４は左側バンド部１２２および右側バンド部１２３に対して、筐体１１０に接近する方向または筐体１１０から離間する方向にスライドして、スライドバンド部１２４と筐体１１０間の距離を変更可能なように構成されている。スライドバンド部１２４は、筐体１１０から離間する方向へはユーザが手で引っ張るなど力を加えることによりスライドする。また、バネなどの弾性体の作用により、筐体１１０から離間する方向に引っ張る力から開放される（スライドバンド部１２４を引っ張っている手を離すなど）と筐体１１０に接近する方向にスライドするように構成されている。
【００３１】
ＨＭＤ１００を装着する際、ユーザはスライドバンド部１２４を筐体１１０から離間する方向に引っ張ることによりスライドさせて、筐体１１０とスライドバンド部１２４間の空間を大きくしてその空間内に頭を配置する。そして、ユーザがスライドバンド部１２４を引っ張っている手を離すとスライドバンド部１２４は筐体１１０に接近する方向にスライドしてユーザの後頭部に接触することにより後方からＨＭＤ１００を支持する。
【００３２】
筐体１１０を確実に支持するために前側バンド部１２１は、スライドバンド部１２４の後頭部における接触位置よりも高い、ユーザの額から頭頂部にかかる領域に接触するように構成されている。よって、ＨＭＤ１００を装着したユーザの顔が正面を向いている状態において、左側バンド部１２２および右側バンド部１２３は、ユーザの側頭部側から見ると、前方（ユーザの顔方向）から後方（ユーザの後頭部方向）にかけて下がるように傾斜した状態となる。
【００３３】
なお、前側バンド部１２１の内面側およびスライドバンド部１２４の内面側を被覆するようにカバーが設けられている。カバーは、前側バンド部１２１の内面およびスライドバンド部１２４の内面におけるユーザの後頭部に当接する部分における緩衝材として機能する。なお、カバーに代えて、クッション、ゴムなどの弾性体を設けるようにしてもよい。
【００３４】
ＨＭＤ１００は以上のように構成されている。
【００３５】
［１−２．ヘッドホンの構成］
次に図２乃至図６を参照して本技術に係るヘッドホンの構成について説明する。なお、ヘッドホンは左側ヘッドホン２００と右側ヘッドホン３００とから構成されており、説明は左側ヘッドホン２００を参照して行う。左側ヘッドホン２００と右側ヘッドホン３００の構成は左右対称である点を除いて同一である。
【００３６】
左側ヘッドホン２００は、スライダ２１０、ハンガ２２０、ハウジング２３０、イヤパッド２４０、コード２５０および支持機構２６０とから構成されている。支持機構２６０は左側ヘッドホン２００をＨＭＤ１００に取り付けて支持するための機構であり、バンド保持部２７０、回動部２８０、スライドガイド２９０とから構成されている。支持機構２６０は特許請求の範囲における支持部に相当するものである。回動部２８０は特許請求の範囲における動作部に相当するものである。
【００３７】
スライダ２１０は、支持機構２６０を介してＨＭＤ１００の左側バンド部１２２に取り付けられ、スライドすることによりハウジング２３０およびイヤパッド２４０の位置を調整可能とするものである。
【００３８】
スライダ２１０の内部には、支持機構２６０のスライドガイド２９０がスライド可能に構成されている。スライダ２１０がスライドガイド２９０に対してスライドすることにより、ＨＭＤ１００のバンド１２０に対してハンガ２２０の位置を下方または上方に移動させることができる。ハンガ２２０の位置を下方または上方に移動させることによりハウジング２３０およびイヤパッド２４０の位置をユーザの所望の位置に調整することができる。
【００３９】
スライダ２１０の位置を調整することにより、ユーザの頭部の大きさや耳と頭頂部との距離などに合わせてイヤパッド２４０をユーザの耳に対向する位置に合わせる事ができる。これにより、ユーザは自らの身体的特徴や嗜好に応じた装着感を得ることができる。一方、ヘッドホンを使用しない場合には、スライダ２１０を縮めた収納状態にすることにより、保管スペースを節約することができる。
【００４０】
スライダ２１０の下端にはハンガ２２０が接続されている。ハンガ２２０は逆Ｕ字型に構成されており、左右端においてハウジング２３０を回動自在に支持するものである。ハンガ２２０は、一対の先端からそれぞれ内向きに突出する支持ピン（図示せず。）で軸支することによりハウジング２３０を回動自在に支持する。これにより、ヘッドホンの装着時において、ユーザの耳の周囲の形状に合わせての向きを変えて、ユーザの側頭部の形状に適した状態でイヤパッド２４０を耳に対向させることができる。
【００４１】
スライダ２１０とハンガ２２０とは、ハンガ２２０が水平方向に回動可能なようにツイスト機構２２１を介して接続されている。ツイスト機構２２１は例えば、垂直方向の軸にスライダ２１０とハンガ２２０とを接続することにより構成されている。
【００４２】
ハウジング２３０は、内部に音声処理回路、ドライバユニット、スピーカ（図示せず。）などを収容する収容部として機能するものである。ハウジング２３０は例えば、プラスチックなどの合成樹脂を用いて形成されている。音声処理回路は例えば、スピーカを駆動する音声信号に対して、信号増幅処理、イコライジング処理、ノイズキャンセリング処理などの所定の音声信号処理を施すものである。ドライバユニットおよびスピーカは音声処理回路により処理が施された音声信号を音声として出力する音声出力手段である。
【００４３】
イヤパッド２４０はハウジング２３０におけるユーザの側頭部に対向する側の面に設けられている。イヤパッド２４０は、弾力性を有するように構成されており、ハウジング２３０とユーザの側頭部との間に介在することにより、ハウジング２３０とユーザの側頭部間の緩衝部材として機能するものである。すなわち、イヤパッド２４０は、ヘッドホンの装着時において、変形しにくい硬い素材で形成されたハウジング２３０が直接ユーザの側頭部に接してユーザに不快感や痛みを与えることを防止するものである。
【００４４】
また、イヤパッド２４０は、イヤパッド２４０とユーザの側頭部により形成される空間を密閉することにより、低音域の再現性の向上などの音質の向上を図る役割も担う。また、スピーカから出力される音声が外部に漏れることを防ぐ役割も担う。さらに、イヤパッド２４０は外部からの騒音を遮断してスピーカからの音声を聴取し易くする働きも担う。
【００４５】
イヤパッド２４０は、低反撥ウレタンを用いて環状に形成された緩衝材と、緩衝材を被覆する合皮製のカバーとから、縫製を行わずに構成されている。カバーは、緩衝材の全面を覆い、ヘッドホン１０の装着時においてユーザの側頭部に直接接触するものである。イヤパッド２４０に低反撥ウレタンを用いることにより、ユーザの耳および側頭部への側圧が弱くても高い密閉感を実現し、ユーザは音声を高音質で聴取することができる。
【００４６】
なお、イヤパッド２４０は、低反撥ウレタンに限定されるものではなく、発泡ウレタン・綿・化学繊維などの弾力性のある材料であればいかなる材料を用いて緩衝材を構成してもよいし、縫製を行って構成してもよい。また、カバーは合皮に限られず、例えば、天然皮革を用いてもよいし、肌触りのよい材料で形成されることが好ましい。
【００４７】
コード２５０は内部に音声信号用導線であるＬチャンネル用導線、グランド線などが挿通しており、音声信号を伝送するためのものである。コード２５０は、ハウジング２３０内に収容された音声処理回路に接続される。
【００４８】
また、コード２５０の他端にはプラグ（図示せず。）が設けられている。そのプラグがテレビジョン受像機、エンタテインメント装置などに接続される。コード２５０はハウジング２３０の最下点の位置から真下に垂らすように設けるのが好ましい。ＨＭＤ１００にヘッドホンを取り付けた状態ではヘッドホンの側面や上面ではコード２５０が邪魔になるおそれがあるからである。
【００４９】
なお、ヘッドホンは、いわゆる密閉式のヘッドホンであってもよいし、通気性のあるウレタンフォームのイヤパッドを用いたオープンエア型のヘッドホンでもよい。
【００５０】
次に図３を参照して支持機構２６０の構成について説明する。支持機構２６０は左側ヘッドホン２００をＨＭＤ１００に取り付けて支持させるための機構であり、バンド保持部２７０、回動部２８０、スライドガイド２９０とから構成されている。
【００５１】
バンド保持部２７０には下向きに開口した逆Ｕ字型の溝部２７１が形成されている。溝部２７１は、ＨＭＤ１００の左側バンド部１２２を挟持することで支持機構２６０および左側ヘッドホン２００をＨＭＤ１００に装着した状態で支持するものである。なお、溝部２７１の下端には溝の内部方向に突出する爪状の引掛け部を設けてもよい。溝部２７１で左側バンド部１２２を挟んで保持している状態において、引掛け部が左側バンド部１２２に引っ掛かることにより左側ヘッドホン２００が不用意にＨＭＤ１００から外れてしまうことを防止できる。
【００５２】
バンド保持部２７０には回動部２８０が備える第２突起部２８４と係合することでクリック感を発生させる第１突起部２７２が設けられている。第１突起部２７２と第２突起部２８４が特許請求の範囲におけるクリック機構に相当するものである。
【００５３】
バンド保持部２７０には横向きＵ字型のコード保持部２７３が設けられている。ヘッドホン使用時において、ＨＭＤ１００のコード２５０をコード保持部２７３に嵌め込んで保持することによりコード２５０が邪魔になることを防止することができる。
【００５４】
回動部２８０は、バンド保持部２７０に回転中心部２８１が支持ピン（図示せず。）で軸支されることによりハウジング２３０をユーザの耳に近づける方向と遠ざける方向に回動自在に構成されている。本実施の形態においては、ハウジング２３０がユーザの耳から遠ざかっている状態を第１の状態、ハウジング２３０がユーザの耳に近づいている状態を第２の状態とする。なお、第２の状態では通常、イヤパッド２４０がユーザの耳に接触している状態となる。
【００５５】
第１の状態は、左側ヘッドホン２００と左側ヘッドホン２００間の空間が広くなるため、ＨＭＤ１００およびヘッドホンの装着する際に最適な状態である。一方、第２の状態は、イヤパッド２４０がユーザの耳に接触している状態であるため、ヘッドホンの使用際に最適な状態である。
【００５６】
回動部２８０は、イヤパッド２４０をユーザの耳に近づける方向への回動においては、下側規制部２８２がバンド保持部２７０に当接することにより回動が一定の位置で規制されるように構成されている。また、回動部２８０は、ハウジング２３０をユーザの耳から遠ざける方向への回動においては、上側規制部２８３がバンド保持部２７０に当接することにより回動が一定の位置で規制されるように構成されている。よって、回動部２８０の回動により、第１の状態と第２の状態とでハウジング２３０の位置を切り替えることが可能となっている。
【００５７】
また、回動部２８０には第２突起部２８４が設けられており、回動部２８０が回動して第１の状態と第２の状態とが切り替わる際に第２突起部２８４がバンド保持部２７０の第１突起部２７２を乗り越えることにより、クリック感を発生させる。
【００５８】
スライドガイド２９０は、回動部２８０に例えばボルト・ナットなどにより固定されることにより設けられている。スライドガイド２９０は、左右に一対の、外側方向に突出した突起を有する板バネ状のスライダ保持部２９１を備えている。スライダ保持部２９１は、スライダ２１０の内面の連続する凹凸（図示せず）に引っ掛かることによりスライダ２１０のスライドに伴うクリック感を発生させるとともに、スライダ２１０の位置を保持するためのものである。なお、スライダ２１０とスライドガイド２９０との摩擦によりスライド位置が保持されるようにしてもよい。
【００５９】
なお、スライダ２１０は図２の上面図に示すように、上端が開口するように構成されており、スライドガイド２９０を抜いてヘッドホンから支持機構２６０を取り外すことが可能となっている。
【００６０】
本技術において、左側ヘッドホン２００は、ＨＭＤ１００の左側バンド部１２２とスライダ２１０のスライド方向とが直交せず、所定の角度を有するように取り付けられている。この点について図４を参照して説明する。
【００６１】
上述したように、ＨＭＤ１００のバンド１２０は前側バンド部１２１がスライドバンド部１２４のユーザの後頭部における接触位置よりも高い位置で額から頭頂部にかかる領域に接触する。これにより、左側バンド部１２２は、ユーザの側頭部側から見ると前方（ユーザの額側）から後方（ユーザの後頭部側）にかけて下がるように傾斜した状態となっている（右側バンド部１２３も同様）。
【００６２】
左側バンド部１２２とスライダ２１０のスライド方向が直交していると、図４Ａに示すように、スライダ２１０をスライドさせると垂直方向（高さ方向）の位置だけでなく、水平向（横方向）の位置も変化してしまい、ハウジング２３０およびイヤパッド２４０を適切な位置に調整することが難しい。また、スライドの伴うハウジング２３０とイヤパッド２４０の垂直方向への変化量がスライダ２１０のスライド量よりも小さくなるため、スライドによる位置調整の効率も悪くなる。
【００６３】
ヘッドホンのスライダ２１０はハウジング２３０およびイヤパッド２４０の垂直方向の位置を調整するものであるため、そのスライダ２１０のスライド方向は、垂直方向に近いことが望ましい。
【００６４】
よって、左側バンド部１２２とスライダ２１０のスライド方向は直交せずに図４Ｂに示すように、垂直方向に対して所定の角度αを有するのが望ましい。この角度αは、左側バンド部１２２の傾斜角度とユーザが最適と感じるイヤパッド２４０の位置によって変化するものである。しかし、ＨＭＤ１００において左側バンド部１２２の傾斜はユーザごとの大きな差はないため、ＨＭＤ１００を装着したユーザが正面を向いている状態における左側バンド部１２２の平均的な傾斜角度を２５度とし、その２５度を基準として実際にユーザが最適だと感じる角度を測定した。その結果を下記の表１に示す。表１のＮｏ１乃至３０は測定を行った３０人のユーザごとの最適だと感じる角度と２５度との差である。
【００６５】
【表１】
2018152812.tif 000003
【００６６】
表１の結果に示すように、ユーザが最適だと感じる角度の多くは上述の２５度とは異なっている。よって、２５度との差の平均を算出し、その差の平均である−２度と基準角度である２５度から所定の角度αは２３度と算出される。
【００６７】
このように左側バンド部１２２に対してスライダ２１０のスライド方向が所定の角度αを有していることにより、スライダ２１０は垂直方向にスライドすることができる。これにより、スライダ２１０のスライドにより的確にハウジング２３０とイヤパッド２４０の位置を調整することができる。
【００６８】
スライダ２１０のスライド方向がこの所定の角度αを有するように構成することは、回動部２８０に対してスライドガイドを所定の角度αで傾けた状態で取り付けることにより実現することができる。
【００６９】
なお、表１で示したようにユーザが最適だと感じる角度はユーザごとに異なるため、スラダのスライド方向は２３度に限定されるものではない。例えば、表１に示した測定結果の上限角度から２３度±１５度とすることができる。
【００７０】
ヘッドホンは以上のようにして構成されている。
【００７１】
［１−３．ヘッドホンの使用］
次に図５および図６を参照してヘッドホンの使用について説明する。ヘッドホンの使用においても説明は左側ヘッドホン２００を参照して行う。右側ヘッドホン３００の取り付けおよび使用は左側ヘッドホン２００と同様である。
【００７２】
まずユーザは、ＨＭＤ１００の装着前にＨＭＤ１００のコード１３０をコード保持部２７３に嵌め込む。これにより、コード保持部２７３でコード１３０を保持して、ＨＭＤ１００およびヘッドホンの装着時および使用時にコード１３０が邪魔になることがない。
【００７３】
次に、ユーザはＨＭＤ１００の左側バンド部１２２に左側ヘッドホン２００のバンド保持部２７０を上から嵌め込み、左側バンド部１２２にバンド保持部２７０を取り付ける。これにより、左側ヘッドホン２００がＨＭＤ１００の左側バンド部１２２に保持される。なお、ＨＭＤ１００装着前には左側ヘッドホン２００はハウジング２３０がユーザの耳から遠ざかっている第１の状態となっているのが望ましい。第１の状態ではハウジング２３０がユーザの耳から遠ざかっており、左側ヘッドホン２００と右側ヘッドホン３００間の距離が広くなるため、ＨＭＤ１００およびヘッドホンの装着が容易となるからである。
【００７４】
次にＨＭＤ１００のスライドバンド部１２４を後方に引っ張り、筐体１１０とスライドバンド部１２４間の空間を大きくして、頭から被るようにＨＭＤ１００を装着する。ＨＭＤ１００の装着自体はヘッドホンを使用する場合も使用しない場合も同様である。
【００７５】
ＨＭＤ１００に左側ヘッドホン２００および右側ヘッドホン３００が取り付けられているため、ＨＭＤ１００を装着すると、同時に左側ヘッドホン２００および右側ヘッドホン３００も装着することになる。このようにＨＭＤ１００と右側ヘッドホン２００および左側ヘッドホン３００を同時に装着することができるので、従来のように先にＨＭＤ１００を装着し、次にＨＭＤ１００により視界が遮られた状態でヘッドホンを装着するという煩わしさ、困難さがない。
【００７６】
ＨＭＤ１００の装着位置と装着感の調整が完了した後、ユーザはハウジング２３０および／またはスライダ２１０を耳方向へ押すことにより回動部２８０を回動させて、ハウジング２３０がユーザの耳から遠ざかっている第１の状態からハウジング２３０がユーザの耳に接近している第２の状態に変化させる。この第２の状態ではイヤパッド２４０がユーザの耳に接触するので、ユーザはヘッドホンから迫力ある音声を聴取することができる。
【００７７】
なお、第１の状態から第２の状態に変化する際にクリック機構によりクリック感が生じるのでユーザはクリック感を感じることにより、第１の状態から第２の状態へ変化したことを把握することができる。また、逆に第２の状態から第１の状態への変化においてはユーザが力を加えて第１突起部２７２が第２突起部２８４を乗り越えなければならないため、ＨＭＤ１００使用中にユーザの意図に反して第２の状態から第１の状態に変化してしまうこともない。
【００７８】
なお、イヤパッド２４０の位置がユーザの耳の位置に合っていない場合、ユーザはスライダ２１０をスライドさせることによりイヤパッド２４０の位置を調整することができる。
【００７９】
上述したように、左側バンド部１２２とスライダ２１０のスライド方向は直交せず、所定の角度αを有している。これによりユーザはスライダ２１０をスライドさせることにより、的確にイヤパッド２４０の位置を調整することができる。
【００８０】
ＨＭＤ１００の使用を終了する場合、または使用を一時中断するためにＨＭＤ１００を外す場合、ユーザはハウジング２３０および／またはスライダ２１０を耳から遠ざかる方向に引っ張ることにより回動部２８０を回動させる。これにより、第２の状態から第１の状態に変化する。第１の状態になると、左側ヘッドホン２００と右側ヘッドホン３００間の距離が大きくなり、ＨＭＤ１００を外すのが容易となる。
【００８１】
なお、ユーザがＨＭＤ１００を用いてユーザに恐怖感を与えるいわゆるホラーゲームなどをプレイしている場合、恐怖のあまりユーザがＨＭＤ１００を急に外そうとする場合が考えられる。本技術においては、左側ヘッドホン２００と右側ヘッドホン３００はＨＭＤ１００に取り付けられており、ＨＭＤ１００を外せば左側ヘッドホン２００と右側ヘッドホン３００も同時に外れる。よって、そのような場合でもユーザは即座にＨＭＤ１００と左側ヘッドホン２００と右側ヘッドホン３００を外すことができる。また、急ぐあまり無理やり外そうとした結果ＨＭＤ１００と左側ヘッドホン２００と右側ヘッドホン３００が破損してしまうということもない。
【００８２】
また、本技術の左側ヘッドホン２００と右側ヘッドホン３００は、ユーザがＨＭＤ１００を外せば一緒に外れるため、ユーザがゲームの恐怖から逃れるためにＨＭＤ１００を外したにも関わらずヘッドホンは装着状態のままとなり、ユーザが音を聴き続けることになってしまうというおそれもない。
【００８３】
また、ＨＭＤ１００とヘッドホンとは別体であるため、ＨＭＤ１００とヘッドホンとが一体となっている製品とは異なり、ヘッドホンが故障した場合ヘッドホンのみを交換することができる。
【００８４】
ＨＭＤ１００と左側ヘッドホン２００と右側ヘッドホン３００とは別体であるため、ＨＭＤ１００とヘッドホンとが一体となっている製品とは異なり、左側ヘッドホン２００と右側ヘッドホン３００のＨＭＤ１００に対する取り付け位置を調整することができる。
【００８５】
なお、左側ヘッドホン２００と右側ヘッドホン３００にＵ字型のヘッドバンドと連結させ、一般的な形状のヘッドホンとして用いることも可能である。本技術に係るヘッドホンを提供・販売する際にはヘッドバンドも同梱して提供・販売するとよい。または、ユーザが必要になった際に入手できるように別途提供・別売りしてもよい。
【００８６】
図７に示すように、ヘッドバンド４００はユーザの頭部に沿うように湾曲状に形成されており、装着状態においてユーザの頭頂部に接することによりヘッドホン全体を支持するものである。ヘッドバンド４００の左右両端にはそれぞれスライドガイド４０１が設けられており、このスライドガイド４０１をスライダ２１０内部に嵌合させることにより、ヘッドバンド４００に左側ヘッドホン２００および右側ヘッドホン３００をスライド可能に連結させることができる。スライドガイド４０１はスライドガイド２９０と同様の構成である。ヘッドバンド４００はプラスチックなどの合成樹脂、金属などを用いて構成されており、所定の剛性および弾性を有することにより可撓性を備えている。これにより、装着時にはハウジング２３０およびイヤパッド２４０をユーザの側頭部方向に押圧して左側ヘッドホン２００と右側ヘッドホン３００の装着状態を維持することができる。
【００８７】
ヘッドバンド４００には被覆用のカバーを設けてもよい。カバーは、ヘッドバンド４００の内面におけるユーザの頭頂部に当接する部分における緩衝材として機能するとともに、ヘッドバンド４００の内部構造が露出することを防ぐ役割も果たす。なお、カバーに代えて、ユーザの頭頂部に当接する部分にクッション、ゴムなどの弾性体を設けるようにしてもよい。また、携帯時に中央で折り畳めるようにヘッドバンド４００にヒンジを設けてもよい。
【００８８】
＜２．変形例＞
以上、本技術の実施の形態について具体的に説明したが、本技術は上述の実施の形態に限定されるものではなく、本技術の技術的思想に基づく各種の変形が可能である。
【００８９】
回動部２８０の動作機構は、実施の形態で説明したものの他、図８に示すようにねじりコイルバネなどの弾性体５１０を用いても実現可能である。ねじりコイルバネなどの弾性体５１０を用いる場合、実施の形態のように第１の状態と第２の状態という２つの状態間で切り替わるのではなく、回転軸５２０を中心として回転することにより、イヤパッド２４０がユーザの耳に接触している状態と遠ざかっている状態間でシームレスに変化するように構成してもよい。
【００９０】
また、回動部２８０は、イヤパッド２４０がユーザの耳に接触する方向にバネなどの弾性体で常時付勢しつつ、突起の係合などで第２の状態で維持できるように構成し、ボタン操作などでその突起の係合を解除することで、第２の状態から第１の状態へ切り替えるようにしてもよい。
【００９１】
実施の形態では、第１突起部２７２と第２突起部２８４とが係合し、乗り上げることによりクリック機構を実現していたが、クリック機構は他の構成により実現されてもよい。例えば、２つの突起が係合し、係合状態では第２の状態を維持し、ボタン操作により係合状態が解除されると第１の状態になるようにしてもよい。
【００９２】
回動部２８０の動作により、ＨＭＤ１００を平面に載置した際にハウジング２３０がその平面に接触しない状態にまでハウジング２３０をＨＭＤ１００のバンド１２０方向に回動させてもよい。
【００９３】
実施の形態では、第１の状態はＨＭＤ１００と左側ヘッドホン２００および右側ヘッドホン３００を装着する際に最適な状態であると説明したが、第１の状態で使用してもよい。第１の状態で使用すると、イヤパッド２４０とユーザの耳との間に空間があるため、ユーザは、エンタテインメント装置からの音声を聴取しつつ、外部からの音声も聴取することができる。また、長時間の使用で耳が蒸れた場合に、第２の状態から第１の状態に変化させて使用することにより、使用を続けつつ耳とイヤパッド２４０間を開放して通気性をよくすることもできる。
【００９４】
本技術に係るヘッドホンはＨＭＤ１００に限られず、ユーザの顔から側頭部にかけてバンド形状のものがあるもの、筐体を備えず、バンドで表示部を直接支持する装置などにも適用可能である。そのような装置としては、例えばメガネ型ウェアラブル端末などがある。
【００９５】
また、ヘッドホンはコード２５０を備えず、音声信号を出力するエンタテインメント装置とBlue toothなどの無線通信で接続してもよい。
【００９６】
本技術は以下のような構成も取ることができる。
（１）
ハウジングと、
前記ハウジングを支持するスライダと、
ヘッドマウントディスプレイに取り付けられ、前記スライダをスライド可能に支持する支持部と
を備えるヘッドホン。
（２）
前記ヘッドマウントディスプレイは表示部と、該表示部をユーザの頭部を用いて支持するバンドとを備え、
前記支持部は、前記バンドに取り付けられる（１）に記載のヘッドホン。
（３）
前記バンドは、少なくとも前記ユーザの側頭部に及ぶように構成されており、
前記支持部は、前記ユーザの側頭部側において前記バンドに取り付けられる（２）に記載のヘッドホン。
（４）
前記スライダのスライド方向は、前記バンドとの直交方向に対して所定の角度を有している（２）または（３）に記載のヘッドホン。
（５）
前記所定の角度は約２３度である（４）に記載のヘッドホン。
（６）
前記所定の角度は約２３度±１５度である（４）または（５）に記載のヘッドホン。
（７）
前記支持部は、前記ハウジングが前記ユーザの耳から遠ざかる方向または前記ハウジングが前記ユーザの耳に近づく方向に動作させる動作部を備えている
（１）から（６）のいずれかに記載のヘッドホン。
（８）
前記動作部は、前記ハウジングが前記ユーザの耳から遠ざかる第１の状態または前記ハウジングが前記ユーザの耳に近づく第２の状態に変化させる（７）に記載のヘッドホン。
（９）
前記第１の状態から前記第２の状態への変化および前記第２の状態から前記第１の状態への変化に伴ってクリック感を発生させるクリック機構を備える（８）に記載のヘッドホン。
（１０）
前記動作部は、前記ヘッドマウントディスプレイを平面に載置した際に、前記ハウジングが前記平面に接しない状態まで変化させる（７）から（９）のいずれかに記載のヘッドホン。
（１１）
前記スライダから前記支持部を取り外した状態で前記スライダにヘッドバンドを接続可能である（１）から（１０）のいずれかに記載のヘッドホン。
（１２）
前記ヘッドマウントディスプレイが備えるコードを保持するコード保持部を備える
（１）から（１１）のいずれかに記載のヘッドホン。
（１３）
前記ハウジングの前記ユーザの耳に対向する側にイヤパッドを備え、
前記イヤパッドは低反撥ウレタンにより構成されている（１）から（１２）のいずれかに記載のヘッドホン。
【符号の説明】
【００９７】
２３０・・・ハウジング
２１０・・・スライダ
１００・・・ヘッドマウントディスプレイ
２６０・・・支持機構
２００・・・左側ヘッドホン
３００・・・右側ヘッドホン
【図１】
2018152812.tif 000004
【図２】
2018152812.tif 000005
【図３】
2018152812.tif 000006
【図４】
2018152812.tif 000007
【図５】
2018152812.tif 000008
【図６】
2018152812.tif 000009
【図７】
2018152812.tif 000010
【図８】
2018152812.tif 000011